(57)【特許請求の範囲】
【請求項１】
建築、あるいは構築物等の躯体に対し、長尺板状の化粧面の上端を屈曲して形成した雄型連結部と、下端に該雄型連結部を嵌合可能に形成した雌型連結部と、左右両端に上馳状に屈曲した舌片とからなる表面材と、該表面材の化粧面裏面に配設し、下端、および左右両端部近傍において連結によって重なり合う部分を一部切り欠いて形成した芯材とからなる横葺用屋根材を長手方向に突き合わせ、後記する継手材を介して係止する横葺用屋根材の縦目地構造において、短尺板状の敷目部の下辺の全部、あるいは一部を屈曲させた馳部と、敷目部の上辺の全部、あるいは一部を馳部と逆方向に屈曲させた雨返部と、該雨返部から馳部に亘り中央部近傍を高くし、幅方向両端に向かって次第に高さを減少する略断面ハ字状の係止部と、該係止部の幅方向両端を表面側に折り返した舌片と、該舌片を再び裏面側に折り返した２重馳部と、該２重馳部両端を中央部まで延長一体化してなり、敷目部裏面の下辺近傍に位置する部分を一部切り欠いて一体化した芯材とからなる継手材において、前記係止部から２重馳部の少なくとも１箇所以上に、装着時に係止部の高さを容易に上下できる変形部が形成されていることを特徴とする横葺用屋根材の縦目地構造。
【発明の詳細な説明】
【０００１】
【産業上の利用分野】
本発明は芯材を予め充填した横葺用屋根材を用いて屋根を形成した際の縦目地構造に関するものである。
【０００２】
【従来の技術】
従来、横葺用屋根材を施工した際の縦目地構造は、▲１▼屋根材の両側縁をはぜ状に屈曲し、互いにはぜ継ぎした構造、▲２▼敷目板とカバー材とにより屋根材の側端部を上下でサンドイッチした構造、▲３▼屋根材同士を単に重ねた構造、▲４▼屋根化粧材と芯材を別部材とした構造、等であった。
【０００３】
【発明が解決しようとする課題】
しかしながら、これらの構造において、▲３▼は防水性に劣り、▲１▼、▲３▼は屋根材を重ねることにより段差が不揃いとなって意匠性の低下を招く不利があった。また▲２▼では、積雪地方での雪落としの際にカバー材が外れてしまい継手部分が外部に露出してしまう危険性があった。▲４▼は継手材を係止するのに芯材が邪魔にならない反面、工数が増す欠点があった。さらに予め芯材を充填した横葺用屋根材を施工する際は、継手材の係止部に上下の高低変化をもたらす工夫がなく、芯材の潰れ等による防水性、断熱性に劣る欠点があった。
【０００４】
【課題を解決するための手段】
本発明は横葺用屋根材におけるこのような欠点を除去するため、継手材の係止部に係止片の高さを変化する変形部を形成し、施工性、防水性、断熱性を向上する横葺用屋根材の縦目地構造を提案するものである。
【０００５】
【実施例】
以下に、本発明に係る横葺用屋根材の縦目地構造について詳細に説明する。図１〜図４は上記横葺用屋根材の縦目地構造Ａの施工順序を示すものであり、図５、図６は図３、図４の一部端面図、図７〜図９は各構成部材単体を示す斜視図であり、図１０〜図１５はその他の実施例を示す説明図である。また上記図１〜図４は施工順序の一例を示すものであり、継手材Ｊに向かって左右どちらから施工することもできる。
【０００６】
さらに説明すると、躯体Ｂは屋根の下地材として機能するものであり、その素材としては外力に対して変形度合いが少ない剛性のあるものであれば良く、図１〜図４のように木材からなる垂木６に同様の材質からなる野地板７を施工し、図示しない防水シートを配設した構成が一般的であるが、木材の代わりにアルミ、鉄等の金属フレームあるいは硬質合成樹脂体の軸組にシージングインシュレーションボード、石膏ボード、合板等の野地板７を組み込んだ躯体構造とすることもできる。また図示しないが野地板７を省略した躯体Ｂとすることも可能である。
【０００７】
横葺用屋根材Ｒは、裏側から見た図７から明かなように、長尺板状の化粧面Ｃの上端を屈曲して形成した雄型連結部Ｄと、下端にこの雄型連結部Ｄを嵌合できるように形成した雌型連結部Ｅと、左右両端に上馳状に屈曲した舌片Ｆが配設された表面材Ｇと、この表面材Ｇの化粧面Ｃ裏面側にあって、下端、および左右端部近傍において連結によって重なり合う部分を一部切り欠いた切り欠き部８を有する芯材Ｈとを一体化したものである。
【０００８】
横葺用屋根材Ｒの素材としては鉄、アルミニウム、銅、ステンレス、チタン、アルミ・亜鉛合金メッキ鋼板、ホーロー鋼板、クラッド鋼板、ラミネート鋼板（塩ビ鋼板等）、サンドイッチ鋼板（制振鋼板等）等（勿論、これらを各種色調に塗装したカラー金属板を含む）の一種をロール成形、プレス成形、押出成形等によって各種形状に成形した長尺板状の表面材Ｇと、ポリウレタンフォーム、ポリイソシアヌレートフォーム、フェノールフォーム、塩化ビニルフォーム、ポリエチレンフォーム、ポリスチレンフォーム、ユリアフォーム等、もしくはこれらに無機軽量骨材、無機繊維等の無機材を混入した芯材Ｈとを成形体の場合は接着剤によって、液状原料の場合は自己接着性によって一体化するものである。
【０００９】
継手材Ｊは図１、および図９に示すように、横葺用屋根材Ｒ２、Ｒ３の化粧面Ｃの裏面と当接すると共に、図８の展開図のような一枚の金属板を成形して短尺板状の敷目部Ｋとし、敷目部Ｋの下辺９、および上辺１０の全部、あるいは一部を各々、逆方向に屈曲させて形成した馳部Ｌ、雨返部Ｍとを有し、雨返部Ｍから馳部Ｌに亘り中央部Ｎ近傍を高く、幅方向両端に向かって次第に高さを減少する略断面ハ字状の係止部Ｏが形成されている。またその幅方向両端を表面側に折り返して舌片１１を形成すると共に、それを再び裏面側に折り返して２重馳部Ｐとし、その両端を中央部Ｎまで延長一体化した形状の短尺板体である。また両端から中央部Ｎ間には図示するように袋ハゼ折１２を形成することもできるし、図１０に示す凸リブ１５とすることや、リブ無しとすることも可能である。さらにこの板体に対し、下辺９近傍を切り欠いた切り欠き部１３を除き、敷目部Ｋ裏面の全面に亘って芯材Ｈが接着材、あるいは自己接着によって一体化されている。さらに図３のａ−ａ部端面図である図５に示すように、前記係止部Ｏから２重馳部Ｐ途中に、舌片Ｆが装着固定される際、係止部Ｏの高さを容易に上下できるように変形部Ｑが形成されている。
【００１０】
変形部Ｑを図５、図６、および図９によって詳細に説明すると、芯材Ｈ裏面が図６の一点鎖線に示すように横葺用屋根材Ｒ１の雄型連結部Ｄ上端に接触するため、舌片Ｆが係止片４にｔ１だけ上方で係止されることになり、その後下端の切り欠き部８が雄型連結部Ｄ上端を通過すると、逆に芯材厚さｔ１分だけ下方へ係止片４が変化する必要が生じる。この相反する要求を満たすため、係止部Ｏの任意の場所に変形部Ｑ、図９では２重馳部Ｐの内側隅に波線で示した長円状孔Ｑ１が形成されている。変形部Ｑは図１１に波線で示したように各種大きさの孔が穿設されたり、係止片４を別部材とし舌片３でかしめた構造とすることもできる。
【００１１】
また、係止片４は図では敷目部Ｋの一部に形成された構成をとっているが、馳部Ｌ先端から雨返部Ｍ先端の全長に亘って形成することもできる。すなわち、継手材Ｊはロールフォーミング等によって連続的に成形することも可能である。
【００１２】
さらに詳説すると、継手材Ｊは図８に示すように一枚の金属板を図９のように成形し、連結を容易とするため下端近傍を切り欠き、上端を雨返部Ｍと面一にした芯材Ｈを充填あるいは接着材によって複合したものである。敷目部Ｋは横葺用屋根材Ｒの縦目地より流入する雨水を下段の横葺用屋根材Ｒ上に流下するものであり、馳部Ｌは敷目部Ｋの下端を裏面方向にコ字状に屈曲して、下段の雄型連結部Ｄに引っかけるガイドとして機能するものである。雨返部Ｍは馳部Ｌと逆方向につ字状に屈曲したもので、雨水の逆流を防止するものである。また中央部Ｎは継手材Ｊの殆どが横葺用屋根材Ｒに隠れるのに対し、唯一外観に露出する場所であり、上記敷目部Ｋの一部を構成している。係止部Ｏは断面ハ字状に折曲げた部分で、舌片Ｆを係止し、芯材Ｈが下段の横葺用屋根材Ｒを通過した後に、容易に高さを減少する変形部Ｑが形成されているものである。
【００１３】
ここで寸法関係について簡単に説明する。いま、図１、図２に示すように横葺用屋根材Ｒについては、流れ方向全長をＬ１、舌片Ｆの長さをＬ３、舌片Ｆの幅をｗ１、雄型連結部Ｄ先端から芯材Ｈ突出端までの長さを△Ｌ１、流れ方向切り欠き部の長さを△Ｌ２、幅方向切り欠き部の幅を△ｗ１、芯材最大厚さをｔ１、一方継手材Ｊに関しては、流れ方向全長をＬ２、係止部Ｏの長さをＬ４、全幅をｗ、係止片４間の幅を△ｗ２、左、右係止片４の幅をｗ２、ｗ３、流れ方向切り欠き部の長さを△Ｌ３、芯材最大厚さをｔ２、係止部Ｏの最大変化量を△Ｈとすると、Ｌ１≧Ｌ２＞Ｌ４≧Ｌ３、ｗ＝ｗ２＋ｗ３＋△ｗ２、ｗ≦２△ｗ１、△ｗ１＞ｗ１、△Ｌ２＞△Ｌ３≧△Ｌ１、△Ｈ＝ｔ１≧ｔ２の関係にある。勿論、図では芯材Ｈの間隙がなるべく形成されないような寸法で形成されているが、横葺用屋根材Ｒの係合し易さを考慮すれば、△Ｌ２＞△Ｌ１＋（横葺用屋根材Ｒの舌片Ｅの長さ）の寸法関係が良いものである。
【００１４】
次に施工例について簡単に説明する。いま図１〜図４に示すように横葺用屋根材の縦目地構造Ａをするためには、図１４（ｃ）に示すような化粧面Ｃ裏面に芯材Ｈが一体化された横葺用屋根材Ｒを用いると仮定する。そこで図１のように、躯体Ｂ上に第Ｎ段目の横葺用屋根材Ｒ１を固定具１で固定する。固定された横葺用屋根材Ｒ１の雄型連結部Ｄ上に継手材Ｊの下端２を重合載置した後、第Ｎ＋１段目で継手材Ｊの左側に位置する横葺用屋根材Ｒ２を矢印イ方向へスライドし、右舌片３ｂを左係止片４ａに係止し、図２の矢印ロ方向へ芯材厚さｔ１に相当する量を押し込み固定片５を固定具１で固定する。また、右側に位置する横葺用屋根材Ｒ３に関しても左舌片３ａを右係止片４ｂに係止し、図３〜図４に示すように同様の手順で固定する。上記工程を順次軒から棟方向へ繰り返すことで屋根を葺成するものである。
【００１５】
以上説明したのは本発明に係る横葺用屋根材の縦目地構造の一実施例にすぎず、図１０〜図１５に示すように形成することもできる。すなわち図１０（ａ）〜（ｅ）は継手材Ｊのその他の例を示す説明図であり、（ａ）図は係止片４の途中に凹リブ１４と、敷目部Ｋの両端近傍に凸リブ１５を各１条づつ形成した継手材Ｊ、（ｂ）図は馳部Ｌのコ字状折返片１６を幅方向に亘って形成し、上記凹凸リブを形成しないもの、（ｃ）図は凸リブ１５を馳部Ｌの途中まで形成したもの、（ｄ）図は（ｃ）図において係止片４の途中に形成した凹リブ１４を左右各２条としたもの、（ｅ）図は（ａ）図において凹リブ１４を削除し、凸リブ１５を左右２条形成し、中央部Ｎに（ｄ）図は凸リブ１５を１条形成した継手材Ｊである。また（ａ）、（ｂ）図のように係止片４先端には、各々正、逆方向に屈曲した舌片１７を形成することもできる。
【００１６】
図１１（ａ）は長円状孔Ｑ１を幾分幅広とし、係止部Ｏに左右各２連づつ形成したもの、（ｂ）図は（ａ）図の長円状孔Ｑ１を２重馳部Ｐに形成し、また継材手Ｊの対面に位置する芯材Ｈに凹条２３を複数本、流れ方向に平行に形成し、万一の結露水も化粧面Ｃ側へ流下する構成としたもの、（ｃ）図は係止部Ｏ、２重馳部Ｐに幅狭変形部Ｑを左右各４連づつ形成したものである。
【００１７】
図１２（ａ）は係止片４を実施例の１／３程度の狭幅としたもの、（ｂ）図は（ａ）図を上下両端近傍に左右各２連づつ形成したもの、（ｃ）図は（ａ）図を正面視台形状に形成いたもの、（ｄ）図は左係止片４ａ、右係止片４ｂの幅をｗ２＜ｗ３の関係に形成したものであるが、勿論ｗ２＞ｗ３に形成することもできるし、図示しないが従来の横葺用屋根材Ｒ用に対し、芯材Ｈ無しの継手材に変形部Ｑを付加した構成でも有効である。
【００１８】
図１３（ａ）は係止片４を実施例の１／３程度の狭幅とし、さらに正面視Ｔ字状に形成いたものたもの、（ｂ）図は図１２（ｂ）の各隅部を面取状に形成したもの、（ｃ）図は上下端近傍を正面視コ字状に切り欠いたもの、（ｄ）図は（ａ）図を３連櫛歯状としたものであるが、３連に限らず複数本形成することもできる。
【００１９】
図１４、図１５は横葺用屋根材Ｒのその他の実施例を示す断面図であり、図１４（ａ）は、雄型連結部Ｄを鳥頭状断面とし、固定片５先端を内方に折曲げ、さらに芯材Ｈを液状原料を吐出し一体化したもの、（ｂ）図は雄型連結部Ｄの嵌合溝１８を除く固定片５の大部分を削除し、雌型連結部Ｅをつ字状断面とし、さらに芯材Ｈを長方形断面としたもの、（ｃ）図は実施例を示したもの、（ｄ）図は固定片５を削除したもの、（ｅ）図は（ｃ）図の芯材Ｈを長方形断面とし、その上端を突出させず面一としたもの、（ｆ）図は（ｃ）図の表面材Ｇと裏面材１９とを芯材Ｈ形成時に自己接着させたものである。
【００２０】
図１５（ａ）は、固定片５先端を内方に折曲げ芯材Ｈと面一とし、芯材Ｈ先端を保護するように覆った上端壁２０を形成したもの、（ｂ）図は雄型連結部Ｄの嵌合溝１８先端を上方に屈曲した立上片２１を形成すると共に、固定片５を削除したもの、（ｃ）図は固定片５を傾斜保護片２２とし、芯材Ｈ下部の段差を無くしたもの、（ｄ）図は固定片５の途中から先端までを削除し、芯材をシート状としたもの、（ｅ）図は（ｃ）図において固定片５を形成すると共に、芯材Ｈを液状原料から成形した略長方形断面としたもの、（ｆ）図は（ｅ）図において固定片５、および芯材Ｈ下端を階段状に形成すると共に、表面材Ｇと裏面材１９とを芯材Ｈ形成時に自己接着させたものである。
【００２１】
【発明の効果】
上述したように本発明に係る横葺用屋根材の縦目地構造によれば、▲１▼キャップ材を用いる必要がないため施工性がよく、かつ、横葺用屋根材の側端に形成した舌片を継手材の係止部に係止するため、防水性が向上する。▲２▼継手材は横葺用屋根材によって固定されるため、釘等の打設による漏水もなく、かつ、継手材自身の移動がない。▲３▼横葺用屋根材は継手材によってバックアップされている目地構造となるため、変形を阻止することができる。▲４▼継手材がロールフォーミングよる成形も可能であり、生産性がよい。▲５▼継手材の係止片が芯材厚さに対応して容易に変化する構成のため、施工性を向上すると共に、▲６▼芯材角部の潰れ、あるいは係止部の変形を防止して防水性、断熱性を向上する。等の特徴、効果がある。
【図面の簡単な説明】
【図１】本発明に係る横葺用屋根材の縦目地構造の代表例を示す説明図である。
【図２】図１の施工順序を示す説明図である。
【図３】図１の施工順序を示す説明図である。
【図４】図１の施工順序を示す説明図である。
【図５】図３におけるａ−ａ線の端面図である。
【図６】図４におけるｂ−ｂ線の部分省略端面図である。
【図７】図１で用いられた横葺用屋根材を示す説明図である。
【図８】図１で用いられた継手材の展開図である。
【図９】図１で用いられた継手材の一部断面斜視図である。
【図１０】継手材の一例を示す説明図である。
【図１１】継手材の一例を示す説明図である。
【図１２】継手材の一例を示す説明図である。
【図１３】継手材の一例を示す説明図である。
【図１４】横葺用屋根材の一例を示す説明図である。
【図１５】横葺用屋根材の一例を示す説明図である。
【符号の説明】
Ａ  縦目地構造
Ｂ  躯体
Ｃ  化粧面
Ｄ  雄型連結部
Ｅ  雌型連結部
Ｆ  舌片
Ｇ  表面材
Ｈ  芯材
Ｊ  継手材
Ｋ  敷目部
Ｌ  馳部
Ｍ  雨返部
Ｎ  中央部
Ｏ  係止部
Ｐ  ２重馳部
Ｑ  変形部
Ｑ１  長円状孔
Ｒ  横葺用屋根材
Ｒ１  横葺用屋根材
Ｒ２  横葺用屋根材
Ｒ３  横葺用屋根材
１  固定具
２  下端
３  舌片
３ａ  左舌片
３ｂ  右舌片
４  係止片
４ａ  左係止片
４ｂ  右係止片
５  固定片
６  垂木
７  野地板
８  切り欠き部
９  下辺
１０  上辺
１１  幅方向舌片
１２  袋ハゼ折
１３  切り欠き部
１４  凹リブ
１５  凸リブ
１６  コ字状折返片
１７  舌片
１８  嵌合溝
１９  裏面材
２０  上端壁
２１  立上片
２２  傾斜保護片
２３  凹条
【図１】
0003738793.tif 000002
【図２】
0003738793.tif 000003
【図３】
0003738793.tif 000004
【図４】
0003738793.tif 000005
【図５】
0003738793.tif 000006
【図６】
0003738793.tif 000007
【図７】
0003738793.tif 000008
【図８】
0003738793.tif 000009
【図９】
0003738793.tif 000010
【図１０】
0003738793.tif 000011
【図１１】
0003738793.tif 000012
【図１２】
0003738793.tif 000013
【図１３】
0003738793.tif 000014
【図１４】
0003738793.tif 000015
【図１５】
0003738793.tif 000016